(57)【要約】【課題】パンツタイプの使い捨ておむつの装着時に胴回り部の過剰な伸びを抑制する。【解決手段】パンツタイプの使い捨ておむつ１は、着用者の胴回りを覆う胴回り部４００、および、胴回り部４００の下方にて着用者の股間部を覆う中間部４０２を備える。胴回り部４００の前方部４０１および中間部４０２の前側には、胴部開口１１から一対の脚部開口１２まで外装シート４が接合された一対のシート接合部１３が設けられる。使い捨ておむつ１では、上下方向におよそ平行な一対のシート接合部１３のそれぞれが、胴回り部４００の最も側方の位置４０５よりも前方に位置する。このため、胴回り部４００の前方部４０１および中間部４０２の前側の部位の上下方向への引張強度が高くなり、使い捨ておむつ１の装着時に胴回り部４００の前方部４０１を引き上げる際に、胴回り部４００および中間部４０２の上下方向への過剰な伸びを抑制することができる。【選択図】図４
2012011114.tif 000002
【特許請求の範囲】
【請求項１】
上端に胴部開口を有し、下部に一対の脚部開口を有するパンツタイプの使い捨ておむつであって、
着用者の胴回りを覆う胴回り部と、
前記胴回り部の前方部の下部から後方部の下部へと連続し、前記着用者の股間部を覆う中間部と、
を備え、
前記胴回り部および前記中間部に、前記胴部開口から前記一対の脚部開口の一方までシートが接合されるシート接合部が設けられ、
前記シート接合部が、上下方向に平行であり、前記胴回り部の最も側方の位置よりも前方または後方に位置することを特徴とする使い捨ておむつ。
【請求項２】
請求項１に記載の使い捨ておむつであって、
前記シート接合部が、前記シートの内面を対向させて接合することにより形成され、前記胴回り部の外面から突出する帯状であることを特徴とする使い捨ておむつ。
【請求項３】
請求項１または２に記載の使い捨ておむつであって、
前記胴回り部および前記中間部に、前記胴部開口から前記一対の脚部開口の他方までシートが接合されるもう１つのシート接合部が設けられることを特徴とする使い捨ておむつ。
【請求項４】
請求項３に記載の使い捨ておむつであって、
前記シート接合部および前記もう１つのシート接合部が、前記胴回り部の前記最も側方の位置よりも前方に位置することを特徴とする使い捨ておむつ。
【請求項５】
請求項３または４に記載の使い捨ておむつであって、
前記胴回り部の前記前方部および前記後方部に吸収コアが設けられ、
前記シート接合部および前記もう１つのシート接合部が、前記胴回り部の前記最も側方の位置と前記吸収コアの側方エッジとの間において、前記胴回り部の前記最も側方の位置よりも前記吸収コアの前記側方エッジに近い位置に位置することを特徴とする使い捨ておむつ。
【発明の詳細な説明】
【技術分野】
【０００１】
本発明は、上端に胴部開口を有し、下部に一対の脚部開口を有するパンツタイプの使い捨ておむつに関する。
【背景技術】
【０００２】
従来より、着用者からの排泄物を受ける吸収性物品の１つとして、上端に胴部開口を有するとともに下部に一対の脚部開口を有するパンツタイプの使い捨ておむつが利用されている。パンツタイプの使い捨ておむつの製造では、通常、外装シートの左右両側において前方部および後方部の両側部がそれぞれの内面を互いに当接させた状態にて接合され、これにより、胴部開口および一対の脚部開口が形成されるとともに、外装シートの最も側方の位置から左右に突出する帯状のサイドシール部が形成される。また、外装シートの内面には、着用者からの排泄物を吸収する吸収体が、前方部から後方部に亘って取り付けられる。
【０００３】
一方、特許文献１の使い捨ておむつの製造では、長手方向に伸びる略帯状の本体部をＵ字型に屈曲させ、本体部の左右両側に配置された２つのウエストベルトの両端部を、本体部の前側および後側の端部に接合することにより、胴部開口および一対の脚部開口が形成される。使い捨ておむつの本体部は、長手方向の両端部の左右両側縁が３５°〜５５°に傾斜した傾斜縁である略八角形状であり、ウエストベルトの両端部も本体部の傾斜縁に沿うように斜めになっている。したがって、使い捨ておむつの前側および後側にはそれぞれ、胴部開口から一対の脚部開口に向かうに従って左右方向の間隔が広がる一対の接合部が設けられる。
【先行技術文献】
【特許文献】
【０００４】
【特許文献１】特開平９−２９０００３号公報
【発明の概要】
【発明が解決しようとする課題】
【０００５】
ところで、近年、パンツタイプの使い捨ておむつにおいて、外装シートを薄くして柔らかくすることにより使い捨ておむつの着用感を向上することが進められている。しかしながら、外装シートを薄くすると伸張しやすくなるため、使い捨ておむつを着用する際に外装シートの前方部や後方部を引き上げても外装シートが伸張してしまい、吸収体を引き上げて着用者の股間に密着させることが容易ではなくなる。
【０００６】
また、特許文献１の使い捨ておむつを着用する際には、胴部開口のほとんどの部位を形成する伸縮性のウエストバンドが把持されて使い捨ておむつが引き上げられるが、ウエストバンドだけが伸びてしまい、本体部を着用者の股間部に密着させることは容易ではない。本体部が着用者の股間部に密着していない状態では、排泄物が本体部に適切に吸収されず、外部に漏出するおそれがある。
【０００７】
一方、外装シートの最も側方の位置にサイドシール部が配置される通常の使い捨ておむつでは、着用者が側臥位を取った際に、腰骨の左右の突起部近傍の肌がサイドシール部により刺激されて着用感が低下してしまうおそれがある。
【０００８】
本発明は、上記課題に鑑みなされたものであり、パンツタイプの使い捨ておむつの装着時に胴回り部の過剰な伸びを抑制することを主な目的としている。
【課題を解決するための手段】
【０００９】
請求項１に記載の発明は、上端に胴部開口を有し、下部に一対の脚部開口を有するパンツタイプの使い捨ておむつであって、着用者の胴回りを覆う胴回り部と、前記胴回り部の前方部の下部から後方部の下部へと連続し、前記着用者の股間部を覆う中間部とを備え、前記胴回り部および前記中間部に、前記胴部開口から前記一対の脚部開口の一方までシートが接合されるシート接合部が設けられ、前記シート接合部が、上下方向に平行であり、前記胴回り部の最も側方の位置よりも前方または後方に位置する。
【００１０】
請求項２に記載の発明は、請求項１に記載の使い捨ておむつであって、前記シート接合部が、前記シートの内面を対向させて接合することにより形成され、前記胴回り部の外面から突出する帯状である。
【００１１】
請求項３に記載の発明は、請求項１または２に記載の使い捨ておむつであって、前記胴回り部および前記中間部に、前記胴部開口から前記一対の脚部開口の他方までシートが接合されるもう１つのシート接合部が設けられる。
【００１２】
請求項４に記載の発明は、請求項３に記載の使い捨ておむつであって、前記シート接合部および前記もう１つのシート接合部が、前記胴回り部の前記最も側方の位置よりも前方に位置する。
【００１３】
請求項５に記載の発明は、請求項３または４に記載の使い捨ておむつであって、前記胴回り部の前記前方部および前記後方部に吸収コアが設けられ、前記シート接合部および前記もう１つのシート接合部が、前記胴回り部の前記最も側方の位置と前記吸収コアの側方エッジとの間において、前記胴回り部の前記最も側方の位置よりも前記吸収コアの側方エッジに近い位置に位置する。
【発明の効果】
【００１４】
本発明では、パンツタイプの使い捨ておむつの装着時に胴回り部の過剰な伸びを抑制することができる。
【図面の簡単な説明】
【００１５】
【図１】使い捨ておむつの外観を示す斜視図である。
【図２】展開した状態の使い捨ておむつの平面図である。
【図３】使い捨ておむつの断面図である。
【図４】使い捨ておむつの平面図である。
【図５】他の使い捨ておむつの断面図である。
【発明を実施するための形態】
【００１６】
図１は、本発明の一の実施の形態に係る使い捨ておむつ１の外観を示す斜視図である。図１に示すように、使い捨ておむつ１は、図１中の上側の端部である上端に胴部開口１１を有し、下部に一対の脚部開口１２を有するパンツタイプであり、着用者からの排泄物を受ける。
【００１７】
図２は、使い捨ておむつ１を展開した状態で着用者側から見た平面図である。図２に示すように、使い捨ておむつ１は、外装シート４、外装シート４の内面（すなわち、着用者側の面）上に取り付けられて着用者からの排泄物を吸収する略シート状の吸収体２０、および、吸収体２０の長手方向（すなわち、図２中における縦方向）の両側にて外装シート４上に接合されるとともに外装シート４との間に吸収体２０の長手方向の端部を挟んで固定する２つのエンドシート５を備える。エンドシート５は、使い捨ておむつ１の左右方向（すなわち、図２中における横方向）に関して外装シート４の幅のおよそ全体に亘って設けられる。
【００１８】
使い捨ておむつ１では、図２中の上側の部位４０６が着用者の前側（腹側の肌）を覆い、図２中の下側の部位４０７が、着用者の後側（背側の肌）および前側の両側部を覆う。このため、部位４０７の左右方向の幅は、部位４０６の左右方向の幅よりも大きい。また、部位４０６と部位４０７との間の部位４０２（以下、「中間部４０２」という。）は着用者の股間部を覆う。
【００１９】
使い捨ておむつ１が製造される際には、外装シート４が吸収体２０と共に中間部４０２にて折り曲げられ、中間部４０２を下側に配置した際の部位４０６の左右両側の端部と、部位４０７の左右両側の端部とが加熱および押圧による熱融着により接合される。これにより、図１に示すように、上端に胴部開口１１が形成され、下部に一対の脚部開口１２が形成される。なお、図１では、一対の脚部開口１２の一方のみを描いている（後述する一対のシート接合部１３についても同様）。以下の説明では、一対の脚部開口１２の上端を水平に結ぶ直線よりも上側の部位を「胴回り部４００」と呼び、胴回り部４００のうち着用者の前側および後側を覆う部位をそれぞれ「前方部４０１」および「後方部４０３」と呼ぶ。使い捨ておむつ１では、胴回り部４００が着用者の胴回りを覆い、股間部を覆う中間部４０２は、胴回り部４００の下方において、胴回り部４００の前方部４０１の下部から後方部４０３の下部へと連続する。
【００２０】
前方部４０１および中間部４０２の前側には、上述の熱融着により、胴部開口１１から一対の脚部開口１２まで外装シート４が接合された一対のシート接合部１３が設けられる。一対のシート接合部１３はそれぞれ、外装シート４の内面（すなわち、外装シート４の着用者の肌に接する面の一部）を対向させて接合することにより形成され、胴回り部４００の前方部４０１および中間部４０２の前側の部位の外面から突出するとともに上下方向におよそ平行に（すなわち、長手方向におよそ平行に）伸びる帯状である。
【００２１】
図３は、使い捨ておむつ１を図２中に示すＡ−Ａの位置（すなわち、中間部４０２）で切断した断面図である。図３では、図示の都合上、使い捨ておむつ１の各構成を離して描いている。図２および図３に示すように、吸収体２０は、略シート状の本体部２、および、本体部２の両側部上（すなわち、左右方向の両側）に配置されて本体部２の長手方向のおよそ全長に亘る一対のサイドシート３を備える。本体部２は、図３に示すように、トップシート２１、バックシート２３、および、トップシート２１とバックシート２３との間に配置された吸収コア２２を備える。図２では、図の理解を容易にするために、吸収コア２２の輪郭を太破線にて描いている。
【００２２】
図２に示すように、吸収コア２２の長手方向の両端部における幅は、吸収コア２２の長手方向の中央部における幅よりも大きい。換言すれば、吸収コア２２は、いわゆる砂時計型である。図３のバックシート２３はホットメルト接着剤等により外装シート４上に接合され、吸収体２０が外装シート４に固定される。
【００２３】
図３に示すように、一対のサイドシート３はそれぞれ、長手方向の全長に亘って設けられた折り曲げ線３９の一方側の部位である帯状の接合部３３、および、折り曲げ線３９の他方側の部位である側壁部３４を備える。一対の接合部３３は、本体部２の側方エッジ近傍において長手方向のおよそ全長に亘って本体部２の上側（すなわち、着用者側）にホットメルト接着剤を用いて接合される。一対の側壁部３４は、折り曲げ線３９である接合部３３の左右方向の外側のエッジにて一対の接合部３３から連続する部位であり、本体部２の両側部上において本体部２の長手方向のおよそ全長に亘って伸びる。
【００２４】
一対の側壁部３４はそれぞれ、長手方向における両端部において接合部３３上に重ねられ、熱融着接合または超音波接合、あるいは、ホットメルト接着剤等による接着により接合部３３上に固定される。以下の説明では、側壁部３４の接合部３３上に固定される部位を「側壁端部３４１」といい、図２では、図の理解を容易にするために、サイドシート３の側壁端部３４１に平行斜線を付している。また、一対の側壁部３４はそれぞれ、図２および図３に示すように、長手方向における中央において２つの側壁端部３４１から連続するとともに本体部２から上側へと起立する起立部３４２を備える。図３に示すように、側壁部３４では、起立部３４２の自由端に弾性部材３５が接合されており、弾性部材３５が収縮することにより起立部３４２にギャザーが形成される。
【００２５】
外装シート４は、第１外装シート４１、および、第１外装シート４１の内面上（すなわち、着用者側）に積層される第２外装シート４２を備える。第１外装シート４１と第２外装シート４２との間には、図２に示すように、脚部弾性部材４３、胴部弾性部材４４および腰部弾性部材４５がホットメルト接着剤等により接合される。脚部弾性部材４３、胴部弾性部材４４および腰部弾性部材４５はそれぞれ、上下方向に配列された複数の弾性要素を有する。使い捨ておむつ１では、脚部弾性部材４３が収縮することにより第１外装シート４１および第２外装シート４２（図３参照）が収縮されてレッグギャザーが形成される。また、胴部弾性部材４４および腰部弾性部材４５が収縮することにより胴部ギャザーおよび腰部ギャザーが形成される。
【００２６】
トップシート２１は、透液性のシート材料であり、着用者からの排泄物の水分を速やかに捕捉して吸収コア２２へと移動させる。トップシート２１としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布やエアスルー不織布、スパンボンド不織布等）が利用される。なお、トップシート２１として、セルロースやレーヨン、コットン等の親水性繊維により形成された不織布（例えば、スパンレース不織布）が利用されてもよい。
【００２７】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。本実施の形態では、吸収コア２２はパルプ繊維およびＳＡＰを含む。
【００２８】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルムが利用され、バックシート２３に到達した排泄物の水分等が、本体部２の外側にしみ出すのを防止する。バックシート２３にプラスチックフィルムが利用される場合、使い捨ておむつ１のムレを防止して着用者の快適性を向上するという観点からは、透湿性（通気性）を有するプラスチックフィルムが利用されることが好ましい。
【００２９】
サイドシート３のシート本体としては、疎水性繊維にて形成された撥水性または不透液性の不織布（例えば、スパンボンド不織布やメルトブロー不織布、ＳＭＳ不織布）が利用される。弾性部材３５としては、例えば、ポリウレタン糸、帯状のポリウレタンフィルム、糸状または帯状の天然ゴム等が利用され、本実施の形態では、ポリウレタン糸が弾性部材３５として利用される。また、エンドシート５としては、疎水性繊維にて形成された不織布が利用される。
【００３０】
外装シート４の第１外装シート４１および第２外装シート４２としては、バックシート２３と同様に、疎水性繊維にて形成された撥水性または不透液性の不織布やプラスチックフィルムが利用され、あるいは、これらの不織布とプラスチックフィルムとが積層された積層シートが利用される。プラスチックフィルムとしては、透湿性（通気性）を有するものが利用されることが好ましい。また、第１外装シート４１および第２外装シート４２として、トップシート２１と同様に、親水性繊維により形成された不織布や親水処理した疎水性繊維にて形成された透液性の不織布が利用されてもよい。脚部弾性部材４３、胴部弾性部材４４および腰部弾性部材４５の弾性要素としては、サイドシート３の弾性部材３５と同様に、例えば、ポリウレタン糸、帯状のポリウレタンフィルム、糸状または帯状の天然ゴム等が利用され、本実施の形態ではポリウレタン糸が利用される。
【００３１】
図４は、使い捨ておむつ１の前側の部位を示す平面図である。図４に示すように、使い捨ておむつ１では、着用者に装着された状態において胴部開口１１から一対の脚部開口１２に至る上下方向におよそ平行な一対のシート接合部１３（図４中にて太実線にて描く。）のそれぞれが、胴回り部４００の最も側方の位置４０５（使い捨ておむつ１の最も側方の位置でもある。）よりも前方に位置する。このため、胴回り部４００の前方部４０１および中間部４０２の前側の部位の上下方向への引張強度が高くなり、使い捨ておむつ１の装着時に前方部４０１を引き上げる際に、胴回り部４００および中間部４０２の上下方向への過剰な伸びを抑制することができる。その結果、使い捨ておむつ１の吸収体２０を着用者の股間部に密着させることができ、排泄物の漏出が防止される。また、シート接合部１３を視認する、または、シート接合部１３に触れることにより、使い捨ておむつ１の前後を容易に識別することができる。
【００３２】
使い捨ておむつ１では、吸収体２０の吸収コア２２が、前方部４０１、中間部４０２および後方部４０３に亘って設けられ、各シート接合部１３が、胴回り部４００の最も側方の位置４０５と吸収コア２２の側方エッジ２２１（すなわち、吸収コア２２の前側において最大幅を有する部位の左右方向のエッジ）との間において、胴回り部４００の最も側方の位置４０５よりも吸収コア２２の側方エッジ２２１に近い位置に位置する。換言すれば、各シート接合部１３は、胴回り部４００の最も側方の位置４０５と吸収コア２２の側方エッジ２２１との間の中央よりも左右方向の内側に位置する。これにより、一対のシート接合部１３が、着用者の鼠径部近傍から上向きに伸びることになるため、使い捨ておむつ１の装着時に、使い捨ておむつ１の鼠径部近傍の部位が上下方向に過剰に伸びることを防止することができる。その結果、吸収体２０を着用者の鼠径部に密着させることができ、排泄物の漏出がより一層防止される。
【００３３】
上述のように、一対のシート接合部１３はそれぞれ、外装シート４の内面を対向させて接合することにより形成され、胴回り部４００の前方部４０１および中間部４０２の前側の部位の外面から突出する帯状である。このような構造とすることにより、使い捨ておむつ１の製造の際に、シート接合部１３となる予定の部位の周囲に（すなわち、外装シート４のシート接合部１３近傍の部位に）熱融着の影響が及ぶことを抑制し、シート接合部１３を容易に形成することができる。
【００３４】
以上、本発明の実施の形態について説明してきたが、本発明は上記実施の形態に限定されるものではなく、様々な変更が可能である。
【００３５】
シート接合部１３は、必ずしも外装シート４の内面を対向させて接合することにより形成される必要はなく、例えば、図２中の上側の部位４０６において、左右方向の端部の外面に部位４０７の左右方向の端部の内面が接合されることにより形成されてもよい。
【００３６】
使い捨ておむつでは、一対のシート接合部１３は、胴回り部４００の最も側方の位置４０５よりも後方（すなわち、後方部４０３および中間部４０２の後側の部位）に位置してもよい。この場合も、上下方向におよそ平行に伸びるとともに胴部開口１１から一対の脚部開口１２に至る一対のシート接合部１３により、胴回り部４００および中間部４０２の上下方向への引張強度が高くなり、使い捨ておむつの装着時に胴回り部４００および中間部４０２の上下方向への過剰な伸びが抑制される。
【００３７】
ただし、使い捨ておむつ１の装着時に前方部４０１を把持して引き上げる人が多いことを考慮すると、図１に示す使い捨ておむつ１のように、一対のシート接合部１３が前側（すなわち、前方部４０１および中間部４０２の前側）に設けられることにより、前方部４０１および中間部４０２の前側の部位の過剰な伸びが抑制されることがより好ましい。また、一対のシート接合部１３が前側に設けられることにより、仰臥位を取る着用者の腰部および臀部と寝具との間にシート接合部１３が位置することがないため、腰部や臀部がシート接合部１３により刺激されることが防止される。
【００３８】
使い捨ておむつでは、胴回り部４００および中間部４０２において、シート接合部１３が１つだけ設けられてもよい。また、胴回り部４００および中間部４０２に複数のシート接合部１３が設けられる場合、シート接合部１３は３つ以上とされてもよく、前側および後側の双方に設けられてもよい。図５は、他の好ましい使い捨ておむつ１ａの胴回り部４００を上下方向に垂直な面で切断した断面図である。図５に示すように、使い捨ておむつ１ａでは、例えば、胴回り部４００の最も側方の位置４０５よりも前方（すなわち、前方部４０１側）に一対のシート接合部１３が設けられ、胴回り部４００の最も側方の位置４０５よりも後方（すなわち、後方部４０３側）に他の一対のシート接合部１３が設けられる。
【００３９】
また、例えば、胴回り部４００の最も側方の位置４０５よりも前方に一対のシート接合部１３が設けられ、胴回り部４００の最も側方の位置４０５に他の一対のシート接合部１３が設けられてもよい。ただし、図１に示す使い捨ておむつ１のように、シート接合部１３が一対のみ設けられることにより、使い捨ておむつ１の構造が簡素化されるとともに、使い捨ておむつ１の製造時における外装シート４の接合箇所を少なくして製造が簡素化されることがより好ましい。
【００４０】
上記実施の形態および各変形例における構成は、相互に矛盾しない限り適宜組み合わせられてよい。
【符号の説明】
【００４１】
１，１ａ    使い捨ておむつ
４    外装シート
１１    胴部開口
１２    脚部開口
１３    シート接合部
２２    吸収コア
２２１    側方エッジ
４００    胴回り部
４０１    前方部
４０２    中間部
４０３    後方部
４０５    位置
【図１】
2012011114.tif 000003
【図２】
2012011114.tif 000004
【図３】
2012011114.tif 000005
【図４】
2012011114.tif 000006
【図５】
2012011114.tif 000007